(57)【要約】【解決手段】キャパシティベースの実効的な信号対雑音比（ＳＮＲ）を利用して無線通信を改善する技術が記述される。実施形態では、モバイル端末は、パイロット／データシンボルを用いて、順方向リンクチャネルから実効的なＳＮＲを決定することができる。モバイル端末は、この実効的なＳＮＲを基地局へ伝達することができる。送信オーバヘッドを最小にするために、モバイル端末は、基地局へ送信する前に、実効的なＳＮＲを量子化することができる。別の実施形態では、基地局は、逆方向リンクから実効的なＳＮＲを決定することができる。基地局は、例えば、モバイル端末からの送信をスケジュールすることと、モバイル端末へ電力制御コマンドを送信することと、モバイル端末のためのサポートデータレートを決定することとを容易にするために、実効的なＳＮＲを利用することができる。適切なＳＮＲは、制約されたＳＮＲ、制約されていないＳＮＲ、平均的なＳＮＲ、及び／又は近似された実効的ＳＮＲを含む。更に、平均化フィルタのような様々なフィルタを、この実効的なＳＮＲを更に処理するために利用することができる。【選択図】      図５
2008526117.tif 000002
【特許請求の範囲】
【請求項１】
無線通信を容易にする方法であって、
順方向リンクに関連し、チャネル関連情報及び電力関連情報を含む情報を、モバイル端末において受信することと、
前記受信した情報から、実効的な信号対雑音比（ＳＮＲ）を決定することと、
前記実効的なＳＮＲを基地局へ伝達することと、
前記実効的なＳＮＲを利用して、無線通信を容易にすることと
を備える方法。
【請求項２】
前記実効的なＳＮＲを量子化して、前記実効的なＳＮＲを前記基地局へ伝達することに関連付けられたオーバヘッドを最小化することを更に備える請求項１の方法。
【請求項３】
量子化スキームは、均一化技術及び非均一化技術のうちの１つである請求項２の方法。
【請求項４】
チャネル及び干渉電力が、コードワードの持続時間にわたって変化する場合、前記実効的なＳＮＲを用いて、前記コードワードの誤り確率を判定することを更に備える請求項１の方法。
【請求項５】
前記実効的なＳＮＲはキャパシティベースである請求項１の方法。
【請求項６】
前記キャパシティベースの実効的なＳＮＲを、パフォーマンス数的指標として用いて、ターボ符合化パフォーマンスを予測することを更に備える請求項５の方法。
【請求項７】
チャネル変化及び干渉電力変化が存在する状態で、コードワードにわたる変調シンボルのセットについて前記実効的なＳＮＲを定義することを更に備える請求項１の方法。
【請求項８】
【数１】
2008526117.tif 000007
の関数として実効的なＳＮＲを計算することを更に備え、
ＳＮＲｅｆｆｉ＝Ｃ−１（１／Ｎ・・・）、ＳＮＲｉは、ｉ番目の変調シンボルのＳＮＲ、Ｃ（  ）は、変調スキームに対応する制約されたキャパシティ関数である請求項１の方法。
【請求項９】
【数２】
2008526117.tif 000008
の関数として実効的なＳＮＲを計算することを更に備え、
ＳＮＲｅｆｆｉ＝Ｃ−１（１／Ｎ・・・）、ＳＮＲｉは、ｉ番目の変調シンボルのＳＮＲ、ｂａｋｃｏｆｆは、符合化損失に相当し、Ｃ（  ）は、変調スキームに対応する制約されたキャパシティ関数である請求項１の方法。
【請求項１０】
【数３】
2008526117.tif 000009
の関数として、実効的な「Ｃ／平均Ｉ」ベースのＳＮＲを計算することを更に備え、
ＳＮＲｉは、｜ｈｉ｜２／Ｎ０であり、Ｎ０＝１／Ｎｓｕｍ（Ｎ０，ｉ）である請求項１の方法。
【請求項１１】
前記実効的なＳＮＲを、異なるパケットフォーマットに対応する閾値のセットと比較して、どのパケットを復号すべきかを判定することを更に備える請求項１の方法。
【請求項１２】
前記実効的なＳＮＲを、目標とする実効的なＳＮＲと比較することを更に備え、
前記実効的なＳＮＲが、前記目標とする実効的なＳＮＲよりも小さい場合にはアップコマンドが送られ、それ以外の場合にはダウンコマンドが送られる請求項１の方法。
【請求項１３】
前記実効的なＳＮＲの決定を容易にするためにフィルタを使用することを更に備える請求項１の方法。
【請求項１４】
前記フィルタは、平均化フィルタである請求項１３の方法。
【請求項１５】
前記フィルタは、送信スケジューリングと、電力制御コマンドを送ることと、変調スキーム及び／又は符合化レートに基づいて、サポートデータレートを予測することと、所望のＳＮＲ精度を達成することと、前記基地局が、瞬間的なフェード認識に対して応答を望む周波数を決定することとのうちの少なくとも１つを容易にするために選択される請求項１４の方法。
【請求項１６】
ＯＦＤＭＡ、ＯＦＤＭ、ＦＤＭＡ、ＦＤＭ、ＴＤＭＡ及びＣＤＭＡのうちの１つをベースとする無線通信を容易にするために、前記実効的なＳＮＲを利用することを更に備える請求項１の方法。
【請求項１７】
特定の変調スキームに対応する制約されたキャパシティ関数を利用して、前記実効的なＳＮＲを決定することを更に備える請求項１の方法。
【請求項１８】
前記制約されたキャパシティ関数は、興味のあるチャネルに適応され、非ガウシアンチャネルとともに利用される請求項１７の方法。
【請求項１９】
前記制約されたキャパシティ関数が近似される請求項１７の方法。
【請求項２０】
前記近似は、制約されていないガウシアンキャパシティである請求項１９の方法。
【請求項２１】
前記制約されていないガウシアンキャパシティは、ｌｏｇ（ＳＮＲ）によって近似される請求項２０の方法。
【請求項２２】
前記実効的なＳＮＲは、制約されたＳＮＲ、制約されていないＳＮＲ、近似されたＳＮＲ、実効的な「Ｃ」ＳＮＲ、実効的な「Ｉ」ＳＮＲ、及び実効的な「Ｃ／平均Ｉ」ＳＮＲのうちの１つである請求項１の方法。
【請求項２３】
最良の再使用セット、最後の再使用セット、及び／又は異なる再使用セットの各々について、チャネル品質管理インジケータ（ＣＱＩ）を送信することを更に備える請求項１の方法。
【請求項２４】
無線通信を容易にする方法であって、
基地局において、逆方向リンクチャネル変化と干渉電力変化とを取得することと、
受信した情報から、キャパシティベースの実効的なＳＮＲを計算することと、
前記キャパシティベースの実効的なＳＮＲを利用して、無線通信を容易にすることと
を備える方法。
【請求項２５】
関連するチャネル条件が好適な場合、システムキャパシティを最大にし、モバイル端末に送られる電力を調節して、所望のチャネル品質を達成し、及び／又はモバイル端末のサポートレートを予測するために、前記キャパシティベースの実効的なＳＮＲを利用して、モバイル端末送信をスケジュールすることを更に備える請求項２４の方法。
【請求項２６】
前記実効的なＳＮＲの決定を容易にするためにフィルタを使用することを更に備える請求項２４の方法。
【請求項２７】
前記フィルタは平均化フィルタである請求項２６の方法。
【請求項２８】
前記フィルタは、送信スケジューリングと、電力制御コマンドを送ることと、変調スキーム及び／又は符合化レートに基づいて、サポートデータレートを予測することと、所望のＳＮＲ精度を達成することと、前記基地局が、瞬間的なフェード認識に対して応答を望む周波数を決定することとのうちの少なくとも１つを容易にするために選択される請求項２６の方法。
【請求項２９】
前記フィルタは、タイムリーさを改善するショートフィルタである請求項２６の方法。
【請求項３０】
前記フィルタは、精度を改善するロングフィルタである請求項２６の方法。
【請求項３１】
ＯＦＤＭＡ、ＯＦＤＭ、ＦＤＭＡ、ＦＤＭ、ＴＤＭＡ及びＣＤＭＡのうちの１つをベースとする無線通信を容易にするために、前記実効的なＳＮＲを利用することを更に備える請求項２４の方法。
【請求項３２】
チャネル及び干渉電力が、コードワードの持続時間にわたって変化し、前記実効的なＳＮＲが、前記コードワードにわたる変調シンボルのセットに対して決定される場合、前記キャパシティベースの実効的なＳＮＲを利用して、前記コードワードの誤り確率を判定することを更に備える請求項２４の方法。
【請求項３３】
前記キャパシティベースの実効的なＳＮＲは、制約されたＳＮＲ、制約されていないＳＮＲ、近似されたＳＮＲ、実効的な「Ｃ」ＳＮＲ、実効的な「Ｉ」ＳＮＲ、及び実効的な「Ｃ／平均Ｉ」ＳＮＲのうちの１つである請求項２４の方法。
【請求項３４】
前記実効的なＳＮＲを量子化することを更に備える請求項２４の方法。
【請求項３５】
前記実効的なＳＮＲを利用して、ターボ符合化パフォーマンスを予測することを更に備える請求項２４の方法。
【請求項３６】
無線通信を容易にするシステムであって、
キャパシティベースの実効的な信号対雑音比（ＳＮＲ）を決定する第１のコンポーネントと、
前記実効的なＳＮＲを使用して、送信をスケジュールすること、電力制御コマンドを提供すること、及び／又は送信サポートレートを予測することを容易にする第２のコンポーネントと
を備えるシステム。
【請求項３７】
前記第１のコンポーネントは、前記キャパシティベースのＳＮＲを、
【数４】
2008526117.tif 000010
の関数として決定するように構成され、
ＳＮＲｅｆｆｉ＝Ｃ−１（１／Ｎ・・・）、ＳＮＲｉは、ｉ番目の変調シンボルのＳＮＲ、Ｃ（  ）は、変調スキームに対応する制約されたキャパシティ関数である請求項３６のシステム
【請求項３８】
前記第１のコンポーネントは、前記キャパシティベースのＳＮＲを、
【数５】
2008526117.tif 000011
の関数として決定するように構成され、
ＳＮＲｅｆｆｉ＝Ｃ−１（１／Ｎ・・・）、ＳＮＲｉは、ｉ番目の変調シンボルのＳＮＲ、ｂａｃｋｏｆｆは、符合化損失に相当し、Ｃ（  ）は、変調スキームに対応する制約されたキャパシティ関数である請求項３６のシステム。
【請求項３９】
前記第１のコンポーネントは、実効的な「Ｃ／平均Ｉ」ベースのＳＮＲを、
【数６】
2008526117.tif 000012
の関数として決定するように構成され、ＳＮＲｉは、｜ｈｉ｜２／Ｎ０であり、Ｎ０＝１／Ｎｓｕｍ（Ｎ０，ｉ）である請求項３６のシステム。
【請求項４０】
前記第１のコンポーネントは、コードワードにわたる変調シンボルのセットに対して、前記実効的なＳＮＲを計算するように構成される請求項３６のシステム。
【請求項４１】
前記第２のコンポーネントは、関連するチャネル条件が好適な場合、システムキャパシティを最大にするために、所定のユーザのための送信をスケジュールするように構成される請求項３６のシステム。
【請求項４２】
前記第２のコンポーネントは、次の送信用に、実効的なＳＮＲに関する所望のチャネル品質を達成するために、モバイル端末に送られる電力を調節する電力制御コマンドを送信するように構成される請求項３６のシステム。
【請求項４３】
前記第２のコンポーネントは、モバイル端末がサポートする送信レートを予測するように構成される請求項３６のシステム。
【請求項４４】
前記実効的なＳＮＲを決定することを容易にするために利用される複数のフィルタを備えたフィルタバンクを更に備える請求項３６のシステム。
【請求項４５】
前記フィルタバンクは、少なくとも１つの平均化フィルタを含む請求項４４のシステム。
【請求項４６】
基地局が瞬間的なフェード認識に対して応答を望む最大ドップラ周波数と、前記実効的なＳＮＲ測定値の精度との関数として、前記フィルタバンクからフィルタが選択される請求項４４のシステム。
【請求項４７】
前記第２のコンポーネントは、チャネル変化及び干渉電力変化が存在する状態で前記実効的なＳＮＲを予測するように構成される請求項３６のシステム。
【請求項４８】
前記第１のコンポーネントは、前記実効的なＳＮＲを、異なるパケットフォーマットに対応する閾値のセットと比較して、どのパケットを復号すべきかを判定するように構成される請求項３６のシステム。
【請求項４９】
前記第１のコンポーネントは、前記実効的なＳＮＲを、目標とする実効的なＳＮＲと比較するように構成され、前記実効的なＳＮＲが、前記目標とする実効的なＳＮＲよりも小さい場合にはアップコマンドが送られ、それ以外の場合にはダウンコマンドが送られる請求項３６のシステム。
【請求項５０】
前記第２のコンポーネントは、前記実効的なＳＮＲを利用して、ターボ符合化スキーム及びＬＤＰＣ符合化スキームのうちの少なくとも１つを予測するように構成される請求項３６のシステム。
【請求項５１】
前記第２のコンポーネントは、チャネル及び干渉電力が、コードワードの持続時間にわたって変化する場合、前記コードワードに関連する誤り確率である符合化スキームパフォーマンスを予測するように構成される請求項３６のシステム。
【請求項５２】
前記第１コンポーネントは、変調シンボルのセット内の任意又は全てのセットについて、前記実効的なＳＮＲを決定するように構成される請求項３６のシステム。
【請求項５３】
前記第１のコンポーネントは、特定の変調スキームに対応する制約されたキャパシティ関数を用いて前記実効的なＳＮＲを決定するように構成される請求項３６のシステム。
【請求項５４】
前記第１のコンポーネントは、前記実効的なＳＮＲを決定するために、興味のある非ガウシアンチャネルに適用される制約されたキャパシティ関数を利用するように構成される請求項３６のシステム。
【請求項５５】
前記第１のコンポーネントは、前記実効的なＳＮＲを決定するために、近似された制約されたキャパシティ関数を利用するように構成される請求項３６のシステム。
【請求項５６】
前記第１のコンポーネントは、前記実効的なＳＮＲを決定するために、近似された制約されていないガウシアンキャパシティを利用するように構成される請求項３６のシステム。
【請求項５７】
前記第１のコンポーネントは、前記実効的なＳＮＲを決定するために、ｌｏｇ（ＳＮＲ）によって近似されるキャパシティを利用するように構成される請求項３６のシステム。
【請求項５８】
基地局において使用される請求項３６のシステム。
【請求項５９】
モバイル端末において使用される請求項３６のシステム。
【請求項６０】
無線通信システムであって、
順方向リンク及び／又は逆方向リンクに対するキャパシティベースの実効的なＳＮＲを決定する手段と、
前記キャパシティベースの実効的なＳＮＲを使用して、モバイル端末送信をスケジュールすること、電力制御コマンドを提供すること、及び／又は、サポートしている送信レートを予測することを容易にする手段とを備える
システム。
【請求項６１】
前記キャパシティベースのＳＮＲを、
【数７】
2008526117.tif 000013
の関数として計算する手段を更に備え、
ＳＮＲｅｆｆｉ＝Ｃ−１（１／Ｎ・・・）、ＳＮＲｉは、ｉ番目の変調シンボルのＳＮＲ、Ｃ（  ）は、変調スキームに対応する制約されたキャパシティ関数である請求項６０のシステム。
【請求項６２】
前記キャパシティベースのＳＮＲを、アルゴリズム
【数８】
2008526117.tif 000014
の関数として計算する手段を更に備え、
ＳＮＲｅｆｆｉ＝Ｃ−１（１／Ｎ・・・）、ＳＮＲｉは、ｉ番目の変調シンボルのＳＮＲ、ｂａｃｋｏｆｆは、符合化損失に相当し、Ｃ（  ）は、変調スキームに対応する制約されたキャパシティ関数である請求項６０のシステム。
【請求項６３】
コードワードにわたる変調シンボルのセットに対して、前記実効的なＳＮＲを決定する手段を更に備える請求項６０のシステム。
【請求項６４】
関連するチャネル条件が好適な場合、所定のユーザのための送信をスケジュールする手段を更に備える請求項６０のシステム。
【請求項６５】
モバイル端末がサポートする送信レートを決定する手段を更に備える請求項６０のシステム。
【請求項６６】
前記実効的なＳＮＲに対してフィルタリングする手段を更に備える請求項６０のシステム。
【請求項６７】
チャネル変化及び干渉電力変化が存在する状態で前記実効的なＳＮＲを予測する手段を更に備える請求項６０のシステム。
【請求項６８】
前記実効的なＳＮＲを、異なるパケットフォーマットに対応する閾値のセットと比較して、どのパケットを復号すべきかを判定する手段を更に備える請求項６０のシステム。
【請求項６９】
前記実効的なＳＮＲを、目標とする実効的なＳＮＲと比較する手段を更に備え、
前記実効的なＳＮＲが、前記目標とする実効的なＳＮＲよりも小さい場合にはアップコマンドが送られ、それ以外の場合にはダウンコマンドが送られる請求項６０のシステム。
【請求項７０】
前記実効的なＳＮＲから、ターボ符合化パフォーマンスを予測する手段を更に備える請求項６０のシステム。
【請求項７１】
前記実効的なＳＮＲを決定するために、制約されたキャパシティ関数、近似された制約されたキャパシティ関数、及び特定の変調スキームに対応する制約されていないガウシアンキャパシティ関数のうちの１つを利用する手段を更に備える請求項６０のシステム。
【請求項７２】
無線通信を容易にするコンピュータ実行可能命令を有するコンピュータ読取可能媒体であって、
順方向リンクに関連した情報をモバイル端末において受信することと、
前記受信した情報から、実効的なＳＮＲを決定することと、
前記実効的なＳＮＲを利用して、無線通信を容易にすることと
を備えるコンピュータ読取可能媒体。
【請求項７３】
前記実効的なＳＮＲを基地局へ伝達するコンピュータ実行可能命令を更に備える請求項７２のコンピュータ読取可能媒体。
【請求項７４】
前記実効的なＳＮＲを量子化して、前記実効的なＳＮＲを前記基地局へ伝達することに関連するオーバヘッドを最小化するコンピュータ実行可能命令を更に備える請求項７２のコンピュータ読取可能媒体。
【請求項７５】
チャネル及び干渉電力が、コードワードの持続時間にわたって変化する場合、前記実効的なＳＮＲを用いて、前記コードワードの誤り確率を判定するコンピュータ実行可能命令を更に備える請求項７２のコンピュータ読取可能媒体。
【請求項７６】
前記キャパシティベースの実効的なＳＮＲを、パフォーマンス数的指標として用いて、ターボ符合化パフォーマンスを予測するコンピュータ実行可能命令を更に備える請求項７２のコンピュータ読取可能媒体。
【請求項７７】
チャネル変化及び干渉電力変化が存在する状態で、コードワードにわたる変調シンボルのセットについて前記実効的なＳＮＲを計算するコンピュータ実行可能命令を更に備える請求項７２のコンピュータ読取可能媒体。
【請求項７８】
前記実効的なＳＮＲを、アルゴリズム
【数９】
2008526117.tif 000015
の関数として決定するコンピュータ実行可能命令を更に備え、
ＳＮＲｅｆｆｉ＝Ｃ−１（１／Ｎ・・・）、ＳＮＲｉは、ｉ番目の変調シンボルのＳＮＲ、Ｃ（  ）は、変調スキームに対応する制約されたキャパシティ関数である請求項７２のコンピュータ読取可能媒体。
【請求項７９】
前記実効的なＳＮＲを、アルゴリズム
【数１０】
2008526117.tif 000016
の関数として決定するコンピュータ実行可能命令を更に備え、
ＳＮＲｅｆｆｉ＝Ｃ−１（１／Ｎ・・・）、ＳＮＲｉは、ｉ番目の変調シンボルのＳＮＲ、ｂａｃｋｏｆｆは、符合化損失に相当し、Ｃ（  ）は、変調スキームに対応する制約されたキャパシティ関数である請求項７２のコンピュータ読取可能媒体。
【請求項８０】
前記実効的なＳＮＲを、異なるパケットフォーマットに対応する閾値のセットと比較して、どのパケットを復号すべきかを判定するコンピュータ実行可能命令を更に備える請求項７２のコンピュータ読取可能媒体。
【請求項８１】
前記実効的なＳＮＲを、目標とする実効的なＳＮＲと比較するコンピュータ実行可能命令を更に備え、
前記実効的なＳＮＲが、前記目標とする実効的なＳＮＲよりも小さい場合にはアップコマンドが送られ、それ以外の場合にはダウンコマンドが送られる請求項７２のコンピュータ読取可能媒体。
【請求項８２】
送信スケジューリングと、電力制御コマンドを送ることと、変調スキーム及び／又は符合化レートに基づいて、サポートデータレートを予測することと、所望のＳＮＲ精度を達成することと、前記基地局が、瞬間的なフェード認識に対して応答を望む周波数を決定することとのうちの少なくとも１つを容易にするためにフィルタリングを行うコンピュータ実行可能命令を更に備える請求項７２のコンピュータ読取可能媒体。
【請求項８３】
制約されたＳＮＲ、制約されていないＳＮＲ、近似されたＳＮＲ、実効的な「Ｃ」ＳＮＲ、実効的な「Ｉ」ＳＮＲ、及び実効的な「Ｃ／平均Ｉ」ＳＮＲのうちの１つを計算するコンピュータ実行可能命令を更に備える請求項７２のコンピュータ読取可能媒体。
【請求項８４】
最良の再使用セット、最後の再使用セット、及び／又は異なる再使用セットの各々について、チャネル品質管理インジケータ（ＣＱＩ）を送信するコンピュータ実行可能命令を更に備える請求項７２のコンピュータ読取可能媒体。
【請求項８５】
基地局において、逆方向リンクチャネル変化と干渉電力変化とを取得するコンピュータ実行可能命令を更に備える請求項７２のコンピュータ読取可能媒体。
【請求項８６】
無線通信を容易にする命令を実行するマイクロプロセッサであって、
順方向リンク情報又は逆方向リンク情報を受信することと、
前記受信した情報から実効的なＳＮＲを決定することと、
前記実効的なＳＮＲを利用して、無線通信を容易にすることと
を備えるマイクロプロセッサ。
【請求項８７】
２つ以上のコンピュータコンポーネント間で送信されるデータパケットであって、
送信をスケジュールすることを容易にすること、電力制御コマンドを提供すること、及び／又は、無線通信に関連する送信サポートレートを予測することのために利用されるキャパシティベースの実効的なＳＮＲを提供する信号を備えたデータパケット。
【発明の詳細な説明】
【技術分野】
【０００１】
本実施形態は、一般に、通信に関し、更に詳しくは、無線通信システムにおけるパフォーマンス数的指標としてキャパシティベースの実効的な信号対雑音比（ＳＮＲ）を決定し、利用するシステム及び方法に関する。
【背景技術】
【０００２】
モバイル通信ネットワーク（例えば、セル電話ネットワーク）内での情報の送信のために利用される従来技術は、周波数、時間、及び符号分割ベースの技術を含んでいる。一般に、周波数分割ベースの技術では、周波数アクセス方法に基づいて通話が分割される。ここではそれぞれの通話が、個別の周波数に配置される。時分割ベースの技術では、各通話は、指定された周波数のうち、ある時間部分が割り当てられる。符号分割ベースの技術では、各通話は、ユニークな符号に関連付けられ、利用可能な周波数にわたって拡散される。各技術は、１又は複数のユーザによる複数のアクセスに対応することができる。
【０００３】
更に詳しくは、周波数分割ベースの技術は、一般に、均一な帯域幅の塊（ｃｈｕｎｋ）に分割することによって、スペクトルを個別のチャネルに分割し、例えば、無線セルラ電話通信のために割り当てられた周波数帯域は、３０チャネルに分割される。そして、その各々は、音声会話を伝送する。特に、デジタルサービスを用いた場合には、デジタルデータを伝送する。各チャネルは、一度に１人のユーザのみに対して割り当てられる。一般に利用される１つの変形は、直交周波数分割技術であり、システム帯域幅全体が、複数の直交サブ帯域へ効果的に分割される。これらのサブ帯域はまた、トーン、キャリア、サブキャリア、値域（ｂｉｎ）、及び周波数チャネルとも称される。サブ帯域はそれぞれ、データで変調することができるサブキャリアに関連している。時分割ベースの技術を用いて、帯域は、連続する時間スライス又は時間スロットへ時間ワイズで分割される。チャネルのユーザはそれぞれ、ラウンドロビン方式で情報を送受信する時間スライスが提供される。例えば、所定の時間ｔでは、ユーザは、短いバーストの間、チャネルへのアクセスが提供される。そして、アクセスは、別のユーザに切り替わる。このユーザは、情報を送受信するために短いバースト時間が提供される。「順番」のサイクルが続き、結果的に、各ユーザに、複数の送信バースト及び受信バーストが与えられる。
【０００４】
符号分割ベース技術は一般に、範囲内の任意の時間において利用可能な多くのディスクリートな周波数にわたってデータを送信する。一般に、データはデジタル化され、利用可能な帯域幅にわたって拡散され、複数の通話が、チャネル上にオーバレイされ、各通話に、ユニークなシーケンス符号が割り当てられる。ユーザは、スペクトルの同じ広帯域チャンクで送信することができ、各ユーザの信号が、それぞれのユニークな拡散符号を用いることによって、帯域幅全体にわたって拡散される。この技術は、共有のために備えることができ、１又は複数のユーザが、同時に送受信することができる。そのような共有は、拡散スペクトルデジタル変調を通じて達成され、ユーザのビットストリームが準ランダムな方法で符号化され、非常に広いチャネルにわたって拡散される。受信機は、コヒーレントな方式で特定のユーザのためのビットを収集するために、関連するユニークなシーケンス符号を認識し、ランダムさを元に戻すように設計されている。
【０００５】
典型的な無線通信ネットワーク（例えば、使用する周波数、時間、及び符号分割技術）は、有効範囲領域を提供する１又は複数の基地局と、有効範囲領域内でデータを送受信することができる１又は複数のモバイル（例えば、無線）端末とを含む。典型的な基地局は、ブロードキャストサービス、マルチキャストサービス、及び／又はユニキャストサービスのために複数のデータストリームを同時に送信することができる。ここで、データストリームは、モバイル端末に重要な独立した受信となりうるデータのストリームである。その基地局の有効範囲領域内のモバイル端末は、合成ストリームによって運ばれる１つ、複数、又は全てのデータストリームを受信することに興味を持っているかもしれない。同様に、モバイル端末は、基地局又は他のモバイル端末へデータを送信することができる。基地局とモバイル端末との間、又はモバイル端末間のそのような通信は、チャネル変化及び／又は干渉電力変化によって劣化される。例えば、前述した変化は、１又は複数のモバイル端末のための基地局スケジューリング、電力制御、及び／又はレート予測に悪影響を与えうる。従って、そのような変化が存在する状態での通信を改善するために、チャネル変化及び／又は電力変化の影響を緩和する必要がある。
【発明の開示】
【０００６】
本明細書では、無線通信（例えば、ＯＦＤＭＡ、ＯＦＤＭ、ＦＤＭＡ、ＦＤＭ、ＴＤＭＡ、ＣＤＭＡ等）を容易にするために、キャパシティベースの実効的な信号対雑音比（ＳＮＲ）を利用するシステム及び方法が記述される。この実効的なＳＮＲは、ターボ符合化パフォーマンスの良好な予測を提供するパフォーマンス数的指標として利用することができる。例えば、チャネル及び干渉電力が、単一のコードワードの持続時間にわたって変化する場合、そのコードワードの誤り確率は、そのコードワードにわたる変調シンボルのセットからなるキャパシティベースの実効的なＳＮＲによって正確に予測される。一般に、変調シンボルのセットに対するキャパシティベースの実効的なＳＮＲは、変調シンボルのセットにわたって定義することができ、特定の変調スキームに対応して制約されたキャパシティ関数に基づきうる。必要であれば、あるいは望まれれば、この制約されたキャパシティ関数に対する近似を用いることができる。１つの適切な近似は、制約のないガウシアンキャパシティ（例えば、付加ホワイトガウシアンノイズ（ＡＷＧＮ：Additive White Gaussian Noise）を仮定）である。更なる単純化は、制約のないキャパシティを近似すること、すなわちｌｏｇ（１＋ＳＮＲ）を、ｌｏｇ（ＳＮＲ）によって近似することであろう。この場合、キャパシティベースの実効的なＳＮＲは、個々のＳＮＲの幾何平均になる。このキャパシティベースの実効的なＳＮＲは、興味のあるチャネルにキャパシティ関数を適用することにより、非ガウシアン（非ノーマル）チャネルを用いて利用できることが認識されるべきである。
【０００７】
１つの実施形態では、無線通信システムのモバイル端末は、順方向リンク信号のキャパシティベースの実効的なＳＮＲを決定（例えば、測定、計算等）することができる。例えば、モバイル端末は、パイロット／データシンボルを用いて、順方向リンクチャネルの制約された実効的なＳＮＲを決定し、このＳＮＲを、基地局へ送り戻すことができる。順方向リンク送信のために異なる変調スキームを利用することができ、かつモバイル端末は、どのスキームが利用されているのかを知らないかもしれないので、モバイル端末は、制約された実効的ＳＮＲではなく、制約されていない実効的ＳＮＲを決定することができる。送信オーバヘッドを最小にするために、モバイル端末は、実効的なＳＮＲを、等間隔（例えば、均一量子化）又は等間隔ではない（例えば、非均一量子化）小さな数の値に量子化することができる。更に、モバイル端末は、この実効的なＳＮＲを決定する際には、適切な平均化フィルタを適用することができる。
【０００８】
別の実施形態では、無線通信システムの基地局は、キャパシティベースの実効的なＳＮＲを決定することができる。例えば、基地局は、モバイル端末からの送信から、実効的なＳＮＲを決定することができる。そのような決定は、モバイル端末が散発的にデータを送信する場合でさえも実行される。モバイル端末と同様に、基地局は、実効的なＳＮＲを決定することに関して様々な平均化フィルタを適用することができる。基地局は、目的（例えば、後述するようなスケジューリング、電力制御、及びデータレート）、ＳＮＲ精度、及び基地局が瞬間的なフェード認識に対して応答を望む周波数に基づいて平均化フィルタを選択的に選ぶことができる。
【０００９】
基地局は、例えば、モバイル端末からの送信をスケジュールし、モバイル端末へ電力制御コマンドを送信し、モバイル端末によってサポートされたデータレートを決定するために、実効的なＳＮＲを利用することができる。送信をスケジュールすることは、マルチユーザダイバーシティの決定をスケジュールすること、例えば、システムキャパシティを最大にするために、関連するチャネル条件が好ましい場合、所定のユーザをスケジュールすることを含む。電力制御コマンドを送信することは、次の送信において、所望のチャネル品質を達成するために、モバイル端末に対する電力を調節することを含むことができる。サポートレートを決定することは、変調スキーム及び符号レートに基づいてサポートレートを予測することを含む。
【００１０】
スペクトルの異なる部分が、異なるチャネル品質を持っている再使用スキーム（一般に、再使用セットと称される）を、通信システムが利用する場合、モバイル端末は、最良の再使用セット、利用された最後の再使用セット、又は異なる再使用セットの各々のためにチャネル品質管理インジケータ（ＣＱＩ：Channel Quality Control Indicators）を送信できることが認識されるべきである。更に、干渉電力が、チャネル電力よりも遅く変化する場合、逆方向リンク帯域幅を節約するために、実効的な「Ｃ」測定値は、高いレートで得られ、幾つかの実効的な「Ｉ」測定値は、低いレートで得られる。実効的な「Ｃ」測定値は、測定されたチャネル（Ｃ）値と、ノミナル干渉（Ｉ）値とを用いた実効的ＳＮＲ計算値であり、実効的な「Ｉ」測定値は、測定された干渉（Ｉ）値と、ノミナルチャネル（Ｃ）値とを用いた実効的なＳＮＲ計算値である。更に、実効的な「Ｃ／平均Ｉ」測定値は、個々の変調シンボルのための干渉電力測定値ではなく、変調シンボルにわたる平均干渉電力が望まれると判定された場合に利用することができる。実効的な「Ｃ／平均Ｉ」測定値は、各変調シンボル及び平均干渉値について実際のチャネル値を用いた実効的なＳＮＲ計算値である。
【００１１】
他の実施形態では、無線通信を容易にするシステム及び方法が例示される。１つの実例では、モバイル端末において、チャネル関連情報及び電力関連情報を含む、順方向リンクに関連する情報を受信することと、前記受信した情報から、実効的なＳＮＲを決定することと、前記実効的なＳＮＲを基地局に伝達することと、前記実効的なＳＮＲを用いて無線通信を容易にすることとを含む方法が提供される。別の実例では、基地局において、逆方向リンクチャネル変化及び干渉電力変化を取得することと、受信した情報から、キャパシティベースの実効的なＳＮＲを計算することと、前記キャパシティベースの実効的なＳＮＲを用いて無線通信を容易にすることとを含む方法が提供される。また別の実例では、キャパシティベースの実効的な信号対雑音比（ＳＮＲ）を決定する第１のコンポーネントと、実効的なＳＮＲを用いて、送信をスケジュールすること、電力制御コマンドを与えること、及び／又は送信サポートレートを予測することを容易にする第２のコンポーネントとを含むシステムが提供される。
【００１２】
様々な局面及び実施形態が、以下に更に詳細に記述される。
【発明を実施するための最良の形態】
【００１３】
本明細書に記載した技術は、無線通信を容易にする様々なデバイスの順方向リンク及び逆方向リンクに関して利用することができる。順方向リンク（又はダウンリンク）は、一般に、基地局からモバイル端末への通信を称し、逆方向リンク（又はアップリンク）は、一般に、モバイル端末から基地局への通信を称する。典型的な基地局は、固定場所に存在するマルチチャネル２方式ラジオであり、典型的なモバイル端末（例えば、モバイル電話、ポータブル電話、無線電話、セル電話等）は、基地局、あるいはラジオ周波数（ＲＦ）によって基地局を介するその他のモバイル端末と通信する単一チャネル２方式ラジオである。この技術は、例えば、モバイル端末及び／又は基地局において、キャパシティベースの実効的な信号対雑音比（ＳＮＲ）を決定することと、前記実効的なＳＮＲを用いて、前記モバイル端末からの送信のスケジューリングを容易にすることと、前記モバイル端末へ電力制御コマンドを送信することと、前記モバイル端末のためのサポートデータを決定することとを提供する。この技術は、ＯＦＤＭＡ、ＯＦＤＭ、ＦＤＭＡ、ＦＤＭ、ＴＤＭＡ、ＣＤＭＡ等とともに利用することができる。
【００１４】
図１は、無線通信システムのパフォーマンス数的指標生成システム１００を示す。このシステム１００は、インタフェースコンポーネント１１０及び測定コンポーネント１２０を含んでいる。インタフェースコンポーネント１１０は、測定コンポーネント１２０を、基地局（図示せず）又はモバイル端末（図示せず）に接続するために利用されるインタフェースである。例えば、インタフェースコンポーネント１１０は、基地局からモバイル端末への順方向リンクの特性及び／又は関連情報を取得するために利用することができる。インタフェースコンポーネント１１０は、この情報／特性を測定コンポーネント１２０に伝達する。測定コンポーネント１２０は、関連するパフォーマンス数的指標を生成するためにそれを用いることができる。そのような数的指標は、インタフェースコンポーネント１１０を介して基地局に送り戻されうる。そして、モバイル端末との通信を容易にするために利用される。
【００１５】
別の実施形態では、インタフェースコンポーネント１１０は、基地局とモバイル端末との間の逆方向リンクの特性及び／又は関連情報を取得するために基地局によって利用される。更に、インタフェースコンポーネント１１０は、この特性及び／又は関連情報を、測定コンポーネント１２０に伝達することができる。測定コンポーネント１２０は、モバイル端末との通信を改善するために利用できる関連するパフォーマンス数的指標を決定するためにそのような情報を用いることができる。パフォーマンス数的指標は、例えばキャパシティベースの実効的なＳＮＲ又はその近似のような信号対雑音比（ＳＮＲ）でありうることが認識されるべきである。基地局は、以下に詳しく述べるように、そのようなＳＮＲを用いて、モバイル端末からの送信をスケジュールすることと、電力制御コマンドをモバイル端末に送信することと、モバイル端末によってサポートされるデータレートを決定することとを容易にすることができる。
【００１６】
図２は、無線通信システムのためのＳＮＲ数的指標を生成するパフォーマンス数的指標生成システム２００を示す。このシステム２００は、図１のシステム１００に関して示すようなインタフェースコンポーネント１１０と測定コンポーネント１２０とを含む。このシステム２００は更に、ＳＮＲ生成コンポーネント２１０を備える。図示するように、ＳＮＲ生成コンポーネント２１０は、測定コンポーネント１２０内に存在する。しかしながら、このコンポーネントは、（そこから離れた）別のコンポーネントにもなりえるか、あるいは同じコンポーネントになりえることが認識されるべきである。したがって、本例は例示であり、限定されない。ＳＮＲ生成コンポーネント２１０は、インタフェースコンポーネント１１０を通じて伝達された情報（例えば、チャネル変化、干渉電力変化等）を用いて、関連するＳＮＲを決定することができる。１つの実施形態では、この計算されたＳＮＲは、キャパシティベースの実効的なＳＮＲである。例えば、チャネル変化及び干渉電力変化の存在する状態で、コードワードにわたる変調シンボルのセットについて実効的なＳＮＲを計算するために、以下に示す式１、又はその変形を用いることができる。
【数１１】
2008526117.tif 000003
【００１７】
ここで、ＳＮＲｅｆｆｉ＝Ｃ−１（１／Ｎ・・・）、ＳＮＲｉは、ｉ番目の変調シンボルのＳＮＲ、Ｃ（  ）は、変調スキームに対応して制約されたキャパシティ関数である。
【００１８】
実効的なＳＮＲは、ターボ符号化、低密度パリティチェック（ＬＤＰＣ：Low Density Parity Check）符号化を含む幾つかの符合化スキームのパフォーマンスを正確に予測するので、レート予測、電力制御等の目的に利用することができる。レート予測について、受信した実効的なＳＮＲは、どのパケットを復号できるのかを判定するために、異なるパケットに対応する閾値のセットと比較することができる。受信した実効的なＳＮＲが、目標とする実効的なＳＮＲ未満である場合、アップコマンドが送られる。そうでない場合には、ダウンコマンドが送られる。
【００１９】
様々な実施形態では、実効的なＳＮＲ計算は、キャパシティ式の一部としてｂａｃｋｏｆｆ（例えば、符号化損失のような量に相当する）を含みうることが認識されるべきである。例えば、上述する式１では、Ｃ（ＳＮＲｉ）は、Ｃ（ＳＮＲｉ／ｂａｃｋｏｆｆ）によって置き換えられ、以下の式２となる。
【数１２】
2008526117.tif 000004
【００２０】
実効的なＳＮＲ計算はまた、異なるシステムにおける使用に対して適切に修正することができる。例えば、等化された単一キャリアシステムでは、ＳＮＲｉは、等化器の出力におけるＳＮＲとなるであろう。レーキベースのシステムでは、ＳＮＲｉは、レーキ逆拡散後のＳＮＲとなるであろう。一般に、変調シンボルのＳＮＲは、検出段階後、デコーダの入力において用いられる。
【００２１】
上述したように、無線通信システムのモバイル端末及び／又は基地局は、ＳＮＲ生成コンポーネント２１０を用いて、キャパシティベースの実効的なＳＮＲを決定することができる。１つの実例では、実効的なＳＮＲは、パイロット／データシンボルを用いた、順方向リンクチャネルの制約された実効的ＳＮＲの測定値になりえる。異なる変調スキーム（例えばＱＡＭ、ＰＳＫ等）が、順方向リンク送信のために利用され、モバイル端末は、どのスキームが利用されているかを知らないので、ＳＮＲ生成コンポーネント２１０は、その代わりに、制約されていない実効的なＳＮＲを計算するために使用することができる。基地局が、ＳＮＲ生成コンポーネント２１０を利用する場合、基地局は、モバイル端末が、散発的にデータを送信する場合でさえも、モバイル端末からの送信から、実効的なＳＮＲを測定することができる。
【００２２】
ＳＮＲ生成コンポーネント２１０によって計算される実効的なＳＮＲは、基地局によって利用され、モバイル端末からの送信をスケジュールすることと、電力制御コマンドをモバイル端末に送信することと、モバイル端末によってサポートされるデータレートを決定することとが容易となる。一般に、送信をスケジュールすることは、マルチユーザダイバーシティを達成するためのスケジュール決定を称する。例えば、そのようなスケジューリングは、システムキャパシティを最大にするために、関連チャネル条件が好適である場合、モバイル端末送信をスケジュールすることに関連付けることができる。電力制御コマンドを送ることは一般に、ＳＮＲに関し、及び次の送信において、所望のチャネル品質を達成するために、モバイル端末への電力を調節することを含む。レートを決定することは一般に、モバイル端末の符合化レートと変調スキームとの組み合わせに基づいて、サポートレートを予測することを伴う。また、モバイル端末はそれ自体、測定された実効的なＳＮＲを用いて、サポート可能なレートを予測し、基地局へ送信することができる。
【００２３】
スペクトルの異なる部分、又は再使用セットが、異なるチャネル品質を有する再使用スキームを無線通信システムが適用する場合、モバイル端末は、最良の再使用セット、利用された最後の再使用セット、及び／又は異なる再使用セットの各々について、チャネル品質インジケータ（ＣＱＩ）を送信することができる。更に、干渉電力が、チャネル電力よりも遅く変化する場合、逆リンク帯域幅を節約するために、実効的な「Ｃ」測定値は、高いレートで得られ、幾つかの実効的な「Ｉ」測定値は、低いレートで得られる。一般に、実効的な「Ｃ」測定は、測定されたチャネル（Ｃ）値と、ノミナル干渉（Ｉ）値との関数として実効的ＳＮＲを計算することを称する。実効的な「Ｉ」測定は、測定された干渉（Ｉ）値と、ノミナルチャネル（Ｃ）値との関数として実効的なＳＮＲを計算することを称する。実効的な「Ｃ／平均Ｉ」測定は、例えば、平均干渉のみが受信機によって推定されている場合、符号化パフォーマンスの良好な予測因子となりうる。実効的な「Ｃ／平均Ｉ」測定は、一般に、各変調シンボルのための実際のチャネル値と、平均干渉値との関数として実効的なＳＮＲを計算することを称する。下記の式３は、実効的な「Ｃ／Ｉ」ベースのＳＮＲを計算するために利用可能な上記式の変形を示す。
【数１３】
2008526117.tif 000005
【００２４】
ここでＳＮＲｉは、｜ｈｉ｜２／Ｎ０，ｉによって与えられ、ｈｉは、ｉ番目の変調シンボルによって理解されるチャネルであり、Ｎ０，ｉは、ｉ番目の変調シンボルによって理解される干渉電力である。実効的な「Ｃ／平均Ｉ」ベースのＳＮＲは、式４の関数として計算することができる。
【数１４】
2008526117.tif 000006
【００２５】
ここでＳＮＲｉは、｜ｈｉ｜２／Ｎ０によって与えられ、Ｎ０は、全てのシンボルによって理解される平均干渉電力（例えば、Ｎ０＝１／Ｎｓｕｍ（Ｎ０，ｉ））である。
【００２６】
図３は、無線通信システム内でのパフォーマンスを高めるために量子化器及び様々なフィルタを適用するパフォーマンス数的指標生成システム３００を例示する。このシステム３００は、インタフェースコンポーネント１１０、測定コンポーネント１２０、及びＳＮＲ生成コンポーネント２１０を含んでいる。ＳＮＲ生成コンポーネント２１０は、例えば、無線通信システムのモバイル端末と基地局との間の順方向リンク及び／又は逆方向リンクの特性及び／又は関連情報から、キャパシティベースの実効的なＳＮＲ（例えば、図２を用いて記述する式１）のようなパフォーマンス数的指標を計算する。このシステム３００は更に、量子化器３１０を含んでいる。これは、実効的なＳＮＲを離散化する（discretize）ために利用することができる。例えば、実効的なＳＮＲは、比較的少ない数の値に量子化することができる。更に、この量子化は、一様化することができ、シンボルが等間隔とされる。あるいは、非一様化することもでき、シンボルが等間隔とされない。そのような量子化は、送信オーバヘッドの最小化を容易にすることができる。
【００２７】
このシステム３００はまた、実効的なＳＮＲの判定を容易にするために利用できる様々なフィルタを格納するフィルタバンク３２０を含んでいる。そのようなフィルタは、モバイル端末及び／又は基地局によって利用される。例えば、モバイル端末が、実効的なＳＮＲを決定する場合、モバイル端末は、実効的なＳＮＲを計算する場合に、フィルタバンク３２０から適切なフィルタを得て、このフィルタを利用することができる。同様に、基地局が実効的なＳＮＲを決定する場合、基地局は、実効的なＳＮＲを計算する場合に、フィルタバンク３２０から適切なフィルタを得て、このフィルタを利用することができる。更に、この基地局は、モバイル端末から得られた実効的なＳＮＲをフィルタすることができる。選択されたフィルタは、目的（例えば、本明細書で記載したスケジューリング、電力制御、及びデータレート）、精度、及び基地局が瞬間的なフェード認識に対して応答を望む周波数（例えば、ドップラ）のような基準に基づくことができる。１つの実施形態では、モバイル端末及び／又は基地局によって利用されるフィルタは、平均化フィルタである。ショートフィルタは、タイムリーさを改良することができる。一方、ロングフィルタは、精度を改良することができる。
【００２８】
実効的なＳＮＲを決定すると、基地局は、既に説明したように、それを用いて、モバイル端末からの送信をスケジュールすることと、電力制御コマンドをモバイル端末に送信することと、モバイル端末によってサポートされるデータレートを決定することとを容易にする。
【００２９】
図４は、無線通信パフォーマンスのための実効的なＳＮＲ数的指標を近似するパフォーマンス数的指標生成システム４００を例示する。このシステム４００は、インタフェースコンポーネント１１０及び測定コンポーネント１２０を含んでいる。測定コンポーネント１２０は、ＳＮＲ生成コンポーネント２１０、量子化器３１０、及びフィルタバンク３２０を含んでいる。測定コンポーネント１２０は更に、ＳＮＲ近似コンポーネント４１０を含む。これは、実効的なＳＮＲを決定するために更に、あるいは代わりに利用される。上述したように、ＳＮＲ生成コンポーネント２１０は、キャパシティベースの実効的ＳＮＲを計算するために利用され、その近似もまた利用される。ＳＮＲ近似コンポーネント４１０は、そのような近似を計算することができる。１つの適切な近似は、制約されていないガウシアンキャパシティ（例えば、付加ガウシアンノイズ（ＡＷＧＮ）を仮定）である。更なる単純化は、制約のないキャパシティを近似すること、すなわちｌｏｇ（１＋ＳＮＲ）を、ｌｏｇ（ＳＮＲ）によって近似することであろう。この場合、キャパシティベースの実効的なＳＮＲが、個々のＳＮＲの幾何平均になる。このキャパシティベースの実効的なＳＮＲは、興味のあるチャネルにキャパシティ関数を適用することにより、非ガウシアンチャネルを用いて利用できることが認識されるべきである。
【００３０】
図５は、モバイル端末においてパフォーマンス数的指標を決定し、このパフォーマンス数的指標を用いて無線通信を容易にする処理５００のフロー図を示す。前述したように、（キャパシティベースの）実効的な信号対雑音比（ＳＮＲ）パフォーマンス数的指標は、ターボ符合化パフォーマンスの良好な予測を与えるので、本明細書に記載したように、無線通信を改善するために利用することができる。例えば、チャネル及び干渉電力が、単一のコードワードの持続時間にわたって変化する場合、そのコードワードの誤り確率は、そのコードワードにわたる変調シンボルのセットのキャパシティベースの実効的ＳＮＲによって正確に予測することができる。更に、キャパシティベースの実効的ＳＮＲ（例えば、制約された、制約されていない、近似された等）は、基地局によって利用され、例えば、モバイル端末からの送信をスケジュールすること、電力制御コマンドをモバイル端末に送信すること、及びモバイル端末によってサポートされるデータレートを決定することが容易とされる。
【００３１】
１つの実施形態では、無線通信システムのモバイル端末は、実効的なＳＮＲを決定（例えば、測定、計算等）し、このＳＮＲを基地局に伝達することができる。ＳＮＲを決定するために、モバイル端末は、例えばパイロット及び／又はデータシンボルを用いて、順方向リンクによって通信情報を取得することができる（ブロック５１０）。そのような情報は、チャネル及び／又は干渉電力変化を含み、実効的なＳＮＲを決定するために利用することができる（ブロック５２０）。実効的なＳＮＲは、制約されたＳＮＲになりえることが認識されるべきである。しかしながら、ここに記述された実施形態はそれに限定されない。例えば、順方向リンク送信のために異なる変調スキームを利用することができ、かつモバイル端末は、どのスキームが利用されているのかが分からないので、モバイル端末は、制約されていない実効的なＳＮＲを測定することができる。更に、必要ならば、あるいは所望されれば、近似を利用することができる。１つの適切な近似は、制約されていないガウシアンキャパシティ関数（例えば、ＡＷＧＮを仮定する）である。更なる単純化は、制約のないキャパシティを近似すること、すなわちｌｏｇ（１＋ＳＮＲ）を、ｌｏｇ（ＳＮＲ）によって近似することであろう。この場合、キャパシティベースの実効的なＳＮＲが、個々のＳＮＲの幾何平均になる。このキャパシティベースの実効的なＳＮＲは、非ガウシアンチャネルを用いて利用できることが認識されるべきである。
【００３２】
干渉電力が、チャネル電力よりも遅く変化する場合、逆方向リンク帯域幅を節約するために、実効的な「Ｃ」測定値が、高いレートで得られ、幾つかの実効的な「Ｉ」測定値が、低いレートで得られる。実効的な「Ｃ」測定値は、測定されたチャネル（Ｃ）値と、ノミナル干渉（Ｉ）値とを用いた実効的なＳＮＲの計算値であり、実効的な「Ｉ」測定値は、測定された干渉（Ｉ）値と、ノミナルチャネル（Ｃ）値とを用いた実効的なＳＮＲの計算値である。実効的な「Ｃ／平均Ｉ」測定値は、変調シンボルにわたる平均干渉電力が、個々の変調シンボルのための干渉電力測定の代わりに要求されると判定される場合に、利用される。実効的な「Ｃ／平均Ｉ」測定値は、各変調シンボルのための実際のチャネル値と、平均干渉値とを用いる実効的なＳＮＲ計算値である。スペクトルの異なる部分が異なるチャネル品質を有する再使用スキームを無線通信システムが適用する場合、モバイル端末は、最良の再使用セット、利用された最後の再使用セット、及び／又は異なる再使用セットの各々について、チャネル品質管理インジケータ（ＣＱＩ）を送信することができる。
【００３３】
モバイル端末は、実効的なＳＮＲを決定すると、それを基地局へ伝達することができる（ブロック５３０）。この伝達前に、実効的なＳＮＲが量子化されるか、あるいはそれに加えて、実効的なＳＮＲの決定を容易にするために様々なフィルタが適用されうることが認識されるべきである。例えば、実効的なＳＮＲは、予め定めた値のセットに量子化することができる。これら値のセットは、一様化することができ、シンボルが等間隔とされる。あるいは、非一様化することもでき、シンボルが等間隔とされない。そのような量子化は、モバイル端末から基地局への送信オーバヘッドの最小化を容易にすることができる。フィルタは、実効的なＳＮＲを決定しながら利用することができる。１つの適切なフィルタは、平均的な実効的ＳＮＲを計算するために利用される平均化フィルタである。ショートフィルタは、タイムリーさを改良することができる。一方、ロングフィルタは、精度を改良することができる。
【００３４】
基地局は、実効的なＳＮＲを利用して、無線通信を容易にすることができる（ブロック５４０）。一例として、実効的なＳＮＲは、例えば、モバイル端末からの送信をスケジュールし、電力制御コマンドをモバイル端末に送信し、モバイル端末によってサポートされるデータレートを決定するために利用することができる。送信をスケジュールすることは、マルチユーザダイバーシティを達成できるようにスケジュール決定することを含む。これは、システムキャパシティを最大にするために、関連するチャネル条件が好適である場合に、所定のユーザをスケジュールする技術と考えることができる。電力制御コマンドを送ることは一般に、ＳＮＲに関し、及び次の送信において、所望のチャネル品質を達成するために、モバイル端末への電力を調節することを含む。サポートレートを決定することは一般に、モバイル端末の符合化レートと変調スキームとの組み合わせを決定するためにレートを予測することを含む。
【００３５】
図６は、基地局において例えば実効的ＳＮＲのようなパフォーマンス数的指標を決定し、このパフォーマンス数的指標を用いて無線通信を容易にする処理６００のフロー図を示す。ＳＮＲを決定するために、基地局は、モバイル端末との逆方向リンクによって通信情報を得ることができる（ブロック６１０）。そのような情報は、限定される訳ではないが、例えば、チャネル変化と干渉電力変化とを含むことができる。
【００３６】
基地局は、この情報を用いて、モバイル端末からの送信に対する実効的なＳＮＲを決定することができる（ブロック６２０）。そのような決定は、モバイル端末が散発的にデータを送信する場合であっても、実行することができると認識されるべきである。モバイル端末と同様に、基地局は、制約された、制約されていない、及び／又は近似された実効的なＳＮＲを測定することができる。１つの適切な近似は、制約されていないガウシアンキャパシティ関数（例えば、ＡＷＧＮを仮定する）である。更なる単純化は、制約のないキャパシティを近似することであろう。更に、本明細書で記載したような実効的な「Ｃ」、実効的な「Ｉ」、及び／又は実効的な「Ｃ／平均Ｉ」を、様々な実施形態において利用することができる。モバイル端末と同様に、基地局は、実効的なＳＮＲを決定することに関して様々なフィルタを適用することができる。そのようなフィルタは、具体的な目的（例えば、後述するスケジューリング、電力制御、及びデータレート）、所望のＳＮＲ精度、及び基地局が瞬間的なフェード認識に対して応答を望む周波数に基づいて選択することができる。
【００３７】
基地局は、この実効的なＳＮＲを用いて、無線通信を容易にすることができる（ブロック６３０）。既に述べたように、実効的な信号対雑音比（ＳＮＲ）は、ターボ符号化パフォーマンスの良好な予測を与え、無線通信を改善することができる。１つの実施形態では、実効的なＳＮＲは、例えば、モバイル端末からの送信をスケジュールし、モバイル端末へ電力制御コマンドを送信し、モバイル端末によってサポートされるデータレートを決定するために利用することができる。送信をスケジュールすることは、マルチユーザダイバーシティを達成できるようにスケジュール決定をすることを含む。これは、システムキャパシティを最大にするために、関連するチャネル条件が好適である場合に、所定のユーザをスケジュールする技術と考えることができる。別の実施形態では、実効的なＳＮＲは、次の送信のための所望のチャネル品質を達成するために、モバイル端末への電力を調節する電力制御コマンドを送信することによって、電力制御を容易にするように利用することができる。別の実施形態では、変調スキーム及び／又は符合化レートに基づいて、モバイル端末のためのサポートレートを予測するために利用することができる。
【００３８】
図７は、基地局においてパフォーマンス数的指標を用いて無線通信を容易にする処理７００のフロー図を示す。図５に関して述べたように、モバイル端末は、基地局との順方向リンクから得られる情報に基づいて、実効的なＳＮＲを決定することができる。この実効的なＳＮＲは、量子化され、及び／又はフィルタされ、基地局へ伝達される（ブロック７１０）。実効的なＳＮＲを受信すると、基地局は更に、実効的なＳＮＲをフィルタすることができる（ブロック７２０）。図６に関して述べたように、利用されるフィルタは、例えば、スケジューリング、電力制御、及びデータレートのような具体的目的、所望のＳＮＲ精度、及び基地局が瞬間的なフェード認識に対して応答を望む周波数に基づいて選択することができる。１つの実施形態では、ショートフィルタのような平均化フィルタが、タイムリーさを改善することができる平均的な実効的ＳＮＲを計算するために選択され、利用される。別の例では、精度を改善するためにロングフィルタを利用することができる。基地局は、実効的なＳＮＲを利用して、無線通信を改善し（ブロック７３０）、例えば、本明細書で記載したように、スケジューリング、電力制御、及び／又はサポートレートの予測を容易にする。
【００３９】
図８は、典型的な無線通信システム８００を示す。システム８００は、分散されたＮ個の基地局８１０１，８１０２，８１０３，８１０４，８１０５，８１０６，８１０Ｎを含む。ここで、Ｎは、１以上の整数である。Ｎ個の基地局８１０１，８１０２，８１０３，８１０４，８１０５，８１０６，８１０Ｎは、集合的に基地局８１０と称されうることが認識されるべきである。典型的な基地局は、一般に、固定局であり、アクセスポイント、トランスミッタ等と称されうる。近隣の基地局は、本質的に同様か、あるいは異なるコンテンツをブロードキャストしうる。システム８００は更に、基地局８１０の（例えば１又は複数の）有効範囲領域にわたって分散されたＭ個の無線デバイス８２０１，８２０２，８２０３，８２０４，８２０５，８２０６，８２０７，８２０８，８２０９，８２０１０，８２０１１，８２０１２，８２０１３，８２０１４，８２０Ｍを含む。ここでＭは、１以上の整数である。Ｍ個の無線デバイス８２０１，８２０２，８２０３，８２０４，８２０５，８２０６，８２０７，８２０８，８２０９，８２０１０，８２０１１，８２０１２，８２０１３，８２０１４，８２０Ｍは、集合的に無線デバイス８２０と称されうると認識されるべきである。
【００４０】
説明したように、無線デバイスは、固定式にもモバイルにもなることができ、モバイル端末、ユーザ端末、移動局、ユーザ機器等とも称することができる。更に、無線デバイスは、セルラ電話、ハンドヘルドデバイス、無線モジュール、パーソナルデジタルアシスタント（ＰＤＡ）等のようなポータブルユニットになりえる。一般に、各基地局８１０は、関連する有効範囲領域内の無線デバイスの任意又は全てに対して同時及び／又は連続的に１又は複数のデータストリームをブロードキャストすることができる。そのようなデータストリームは、例えばビデオ、オーディオ、テレテキスト、データ、ビデオ／オーディオクリップ等のようなマルチメディアコンテンツ用になりえる。例えば、単一のマルチメディア（例えば、テレビ）プログラムが、ビデオ、オーディオ、およびデータ用に３つの個別のデータストリームで送られうる。別の例では、単一のマルチメディアプログラムが、例えば、異なる言語のためのそれぞれのストリームのような複数のオーディオデータストリームを持つことができる。個々のデータストリームは、類似又は個別の物理レイヤチャネル上で送ることができる。
【００４１】
図９は、ＯＦＤＭシステムに利用可能な典型的なサブ帯域構造９００を示す。この例では、ＯＦＤＭシステムが、全体でＢＷ  ＭＨｚのシステム帯域幅を持っている。これは、ＯＦＤＭを用いてＮ個の直交サブ帯域に分割される。各サブ帯域はそれぞれ、ＢＷ／Ｎ  ＭＨｚの帯域幅を持つ。スペクトル的に形作られたＯＦＤＭシステムでは、データ／パイロット送信のために、合計Ｎ個のサブ帯域のうちＭ個のみが使用される。ここでＭ＜Ｎである。残りのＮ−Ｍ個のサブ帯域は、データ／パイロット送信のためには使用されず、ＯＦＤＭシステムがスペクトルマスク要件を満たすことを可能にするガードサブ帯域となる。
【００４２】
Ｍ個の利用可能なサブ帯域は、サブ帯域Ｆ〜Ｆ＋Ｍ−１を含み、一般に、合計Ｎ個のサブ帯域に向けられる。ＯＦＤＭシステムのＮ個のサブ帯域は、異なるチャネル条件（例えば、異なるフェージング及びマルチパス効果）を経験し、異なる複合チャネル利得に関連付けられているかもしれない。チャネル応答の正確な推定は、通常、受信機においてデータを調整（例えば、復調及び復号）するために必要である。
【００４３】
ＯＦＤＭシステムにおける無線チャネルは、時間領域チャネルインパルス応答であるか、あるいは対応する周波数領域チャネル周波数応答かの何れかによって特徴付けられうる。本明細書で用いる「チャネルインパルス応答」は、従来の専門用語との整合が取られたチャネルの時間領域応答である。そして、「チャネル周波数応答」は、チャネルの周波数領域応答である。チャネル周波数応答は、チャネルインパルス応答の離散的フーリエ変換（ＤＦＴ）である。
【００４４】
無線チャネルのインパルス応答は、Ｌ個のタップによって特徴付けることができる。ここでＬは、一般に、サブ帯域の合計数よりもはるかに少ない（Ｌ＜Ｍ）。すなわち、インパルスが送信機によって無線チャネルに加えられると、このインパルス刺激に基づいて、無線チャネルの応答を特徴付けるために、（ＢＷ  ＭＨｚのサンプルレートの）Ｌ個の時間領域サンプルで十分であろう。チャネルインパルス応答用のタップの数（Ｌ）は、受信機における、十分なエネルギーをもった最も早い到着信号と、最も遅い到着信号との間の時間差であるシステム遅延拡散に依存する。長い遅延拡散は、より大きなＬの値に対応する。その逆も同様である。使用されるベクトルは、チャネルインパルス応答の各タップに対して１つのゼロではない入力を含む。Ｌからなる遅延拡散の場合、ベクトルの最初のＬ個の入力は、ゼロではない値を含み、残りのＮ−Ｌ個の入力は全てゼロである。
【００４５】
図１０は、典型的な無線通信システム１０００を示す。無線通信システム１０００は、簡潔さの目的のために、１つの基地局及び１つの端末を示す。しかしながら、このシステムは、１より多くの基地局及び／又は１より多くの端末を含むことができ、追加の基地局及び／又は端末が、後述する典型的な基地局及び端末について実質的同等であるか、あるいは異なりうることが認識されるべきである。更に、基地局及び／又は端末は、それらの間の無線通信を容易にするために、本明細書に記載のシステム（図１〜４）及び／又は方法（図５〜７）を適用できることが認識されるべきである。
【００４６】
図１０に示すように、ダウンリンクでは、アクセスポイント１００５において、送信（ＴＸ）データプロセッサ１０１０が、トラフィックデータを受信、フォーマット、符合化、インタリーブ、及び変調（すなわちシンボルマップ）し、変調シンボル（データシンボル）を提供する。ＯＦＤＭ変調器１０１５は、このデータシンボル及びびパイロットシンボルを受信、及び処理し、ＯＦＤＭシンボルのストリームを提供する。ＯＦＤＭ変調器１０２０は、適切なサブ帯域においてデータとパイロットシンボルを多重化し、未使用のサブ帯域の各々に対してゼロからなる信号値を提供し、各ＯＦＤＭシンボル周期についてＮ個のサブ帯域のために、Ｎ個の送信シンボルからなるセットを取得する。送信シンボルはそれぞれ、データシンボル、パイロットシンボル、あるいは０の値を持つ信号かもしれない。パイロットシンボルは、各ＯＦＤＭシンボル周期内で連続的に送られうる。あるいは、パイロットシンボルは、時分割多重化（ＴＤＭ）、周波数分割多重化（ＦＤＭ）、あるいは符号分割多重化（ＣＤＭ）されるかもしれない。ＯＦＤＭ変調器１０２０は、ＮポイントＩＦＦＴを用いて、Ｎ個の送信シンボルのセットの各々を時間領域に変換し、Ｎ個の時間領域チップを含む「変換された」シンボルを取得する。ＯＦＤＭ変調器１０２０は、一般に、各変換されたシンボルの一部を繰り返して、対応するＯＦＤＭシンボルを取得する。この繰り返された部分は、周期的プレフィクスとして知られており、無線チャネル内で広げられた遅延と格闘するために使用される。
【００４７】
送信機ユニット（ＴＭＴＲ）１０２０は、ＯＦＤＭシンボルのストリームを受信し、１又は複数のアナログ信号に変換し、このアナログを更に調整（例えば、増幅、フィルタ、及び周波数アップコンバート）して、無線チャネルによる送信に適したダウンリンク信号を生成する。そして、ダウンリンク信号が、アンテナ１０２５を介して端末へ送信される。端末１０３０では、アンテナ１０３５がダウンリンク信号を受信し、この受信した信号を、受信機ユニット（ＲＣＶＲ）１０４０に提供する。受信機ユニット１０４０は、この受信した信号を調整（例えば、フィルタ、増幅、及び周波数ダウンコンバート）し、この調整された信号をデジタル化して、サンプルを得る。ＯＦＤＭ復調器１０４５は、各ＯＦＤＭシンボルに追加された周期的プレフィックスを取り除き、受信され変換された各シンボルを、ＮポイントＦＦＴを用いて周波数領域に変換し、各ＯＦＤＭシンボル周期について、Ｎ個のサブ帯域についてＮ個の受信シンボルを取得し、受信したパイロット信号を、チャネル推定のためにプロセッサ１０５０に提供する。ＯＦＤＭ復調器１０４５は更に、プロセッサ１０５０から、ダウンリンクのための周波数応答推定値を受信し、受信したデータシンボルについてデータ復調を行ってデータシンボル推定値（送信されたデータシンボルの推定値）を取得し、このデータシンボル推定値をＲＸデータプロセッサ１０５５に提供する。ＲＸデータプロセッサ１０５５は、このデータシンボル推定値を復調（すなわち、シンボルマップ）し、逆インタリーブし、復号して、送信されたトラフィックデータを復元する。アクセスポイント１０００において、ＯＦＤＭ復調器１０４５及びＲＸデータプロセッサ１０５５による処理は、ＯＦＤＭ変調器１０１５及びＴＸデータプロセッサ１０１０による処理に対してそれぞれ相補的である。
【００４８】
アップリンクでは、ＴＸデータプロセッサ１０６０が、トラフィックデータを処理し、データシンボルを提供する。ＯＦＤＭ変調器１０６５は、データシンボルを受信して、パイロットシンボルとともに多重化し、ＯＦＤＭ変調を行ない、ＯＦＤＭシンボルのストリームを提供する。パイロットシンボルは、パイロット送信のために端末１０３０に割り当てられたサブ帯域で送信される。ここでは、アップリンクのためのパイロットサブ帯域数は、ダウンリンクのためのパイロットサブ帯域数と同じであるか、又は異なる。そして、送信機ユニット１０７０は、ＯＦＤＭシンボルのストリームを受信し、処理してアップリンク信号を生成する。アップリンク信号は、アンテナ１０３５によってアクセスポイント１０１０へ送信される。
【００４９】
アクセスポイント１０１０では、端末１０３０からのアップリンク信号がアンテナ１０２５によって受信され、受信機ユニット１０７５によって処理されてサンプルが得られる。そして、ＯＦＤＭ復調器１０８０は、このサンプルを処理し、受信したパイロットシンボルとデータシンボル推定値とをアップリンクのために提供する。ＲＸデータプロセッサ１０８５は、このデータシンボル推定値を処理して、端末１０３５によって送信されたトラフィックデータを復元する。プロセッサ１０９０は、アップリンクで送信する各アクティブ端末のためにチャネル推定を実行する。複数の端末が、それぞれ割り当てられたパイロットサブ帯域のセットについてアップリンクで同時に送信しうる。ここで、パイロットサブ帯域のセットは、インタレースされる。
【００５０】
プロセッサ１０９０，１０５０は、アクセスポイント１０１０と端末１０３５とのそれぞれにおいて、動作を指示（たとえば、制御、調整、管理等）する。プロセッサ１０９０，１０３５の各々は、プログラムコード及びデータを格納するメモリユニット（図示せず）に関連付けられうる。プロセッサ１０９０，１０５０はまた、アップリンク及びダウンリンクそれぞれのための周波数及びインパルス応答推定値を導くための計算を行う。
【００５１】
複数接続ＯＦＤＭシステム（例えば、直交周波数分割多元接続（ＯＦＤＭＡ）システム）の場合、複数の端末が、アップリンクで同時に送信しうる。そのようなシステムについては、パイロットサブ帯域が、異なる端末間で共有されうる。このチャネル推定技術は、各端末のためのパイロットサブ帯域が、（恐らく帯域端を除く）動作帯域全体に広がる場合に使用されうる。そのようなパイロットサブ帯域構造は、各端末のための周波数ダイバーシティを得るのに望ましいだろう。本明細書に記載の技術は、様々な手段によって実施されうる。例えば、これらの技術は、ハードウェア、ソフトウェア、あるいはこれらの組み合せで実現されうる。ハードウェアで実現する場合、チャネル推定に使用される処理ユニットは、１又は複数の特定用途向けＩＣ（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能なゲートアレー（ＦＰＧＡ）、プロセッサ、コントローラ、マイクロコントローラ、マイクロプロセッサ、本明細書に記載の機能を実行するために設計されたその他の電子ユニット、又はこれらの組合せ内に実装されうる。ソフトウェアを用いた実装は、本明細書に記載の機能を実施するモジュール（例えば、手順、機能等）によって実現されうる。ソフトウェアコードが、メモリユニットに格納され、プロセッサ１０９０，１０３５によって実行される。
【００５２】
図１１は、典型的な基地局１１００のブロック図を示す。基地局１１００では、送信（ＴＸ）データプロセッサ１１０５が、例えば、異なるサービスのための複数のデータソースのような１又は複数のデータソース１１１０から、１又は複数のデータストリームを受信する。ＴＸデータプロセッサ１１０５は、ストリームのために選択されたモードに従って各データストリームを処理して、対応するデータシンボルストリームを生成する。そして、シンボルマルチプレクサ（Ｍｕｘ）／チャンネライザ１１２０へデータシンボルストリームを提供する。ＴＸデータプロセッサ１１０５はまた、コントローラ１１２５からオーバヘッドデータを受け取り、このオーバヘッドデータのために使用されるモードに従ってオーバヘッドデータを処理し、オーバヘッドシンボルストリームをチャンネライザ１１２０に提供する。一般に、オーバヘッドシンボルは、オーバヘッドデータのための変調シンボルである。
【００５３】
チャンネライザ１１２０は、データシンボルストリーム内のデータシンボルを、割り当てられた送信機ユニットに多重化し、パイロットサブ帯域上へパイロットシンボルを、ガードサブ帯域上へガードシンボルを提供する。チャンネライザ１１２０は更に、関連するフレームの前のパイロット及びオーバヘッドセクション内に、パイロットシンボル及びオーバヘッドシンボルを多重化する。チャンネライザ１１２０は、適切なサブ帯域及びシンボル周期においてデータ、オーバヘッド、パイロット、及びガードシンボルを運ぶ合成シンボルストリームを提供する。変調器１１３０は、合成シンボルストリームを変調し、シンボルストリームを送信機ユニット（ＴＭＴＲ）１１３５に与える。送信機ユニット（ＴＭＴＲ）１１３５は、シンボルストリームを調整（例えば、アナログ変換、フィルタ、増幅、及びアップコンバート）し、アンテナ１１４０から送信される変調信号を生成する。
【００５４】
システム１１００は更に、測定コンポーネント１１４５を含む。測定コンポーネント１１４５は、図１〜４に関連して記載した測定コンポーネントに実質的に類似している。あるいは、またはさらにそれに加えて、図５〜７に関連して記載した方法を適用することができる。従って、測定コンポーネント１１４５は、通信に関連した情報を、ＴＭＴＲ１１３５から取得することができる。この情報は、チャネル変化及び干渉電力変化を含む。受信された情報は、例えばキャパシティベースの実効的ＳＮＲのようなパフォーマンス数的指標を決定するために利用することができる。ＳＮＲは、送信しているモバイル端末（図示せず）が、基地局１１００へデータを散発的に送信する場合でさえも決定することができることが認識されるべきである。更に、あるいはその代わりに、実効的ＳＮＲは、モバイル端末によって計算され、基地局１１００へ伝達されることも可能である。
【００５５】
計算されたＳＮＲは、キャパシティベースの実効的なＳＮＲになりえる。そのような定義は、特定の変調スキームに対応する制約されたキャパシティ関数、あるいは例えば、制約されていないガウシアンキャパシティ関数のように、制約されたキャパシティ関数に対する近似に基づきうる。更なる単純化は、制約されていないキャパシティを近似することであろう。測定コンポーネント１１４５は、実効的ＳＮＲを決定する場合、及び／又は、モバイル端末から受信した実効的ＳＮＲの更なる処理のために、様々なフィルタ（例えば、平均化）を適用することができる。そのようなフィルタは、例えばスケジューリング、電力制御、及びデータレートの予測のような特定の目的のために選択することができ、例えば、所望のＳＮＲ精度の達成、及び所望の周波数における変調を行う。
【００５６】
簡潔に説明したように、この実効的ＳＮＲは、例えば、モバイル端末からの送信をスケジュールし、電力制御コマンドをモバイル端末に送信し、モバイル端末によってサポートされるデータレートを決定するために利用することができる。そのようなスケジューリングはスケジューラ１１５０によって行なうことができる。スケジューラは、システムキャパシティを最大にするために、関連するチャネル条件が好適である場合、所定のユーザをスケジュールすることによって、マルチユーザダイバーシティを達成するためのスケジューリング決定を行う。コントローラ１１２５は、次の送信において所望のチャネル品質を達成するために、実効的ＳＮＲを用いて電力制御コマンドを送信し、モバイル端末に対する電力を調節することができる。更に、コントローラ１１２５は、実効的ＳＮＲを用いて、変調スキーム及び／又は符合化レートに基づいて、モバイル端末のためのサポートレートを決定することができる。
【００５７】
図１２は、無線デバイス１２００のブロック図を示す。無線デバイス１２００では、アンテナ１２０５が、基地局（図示せず）によって送信された変調信号を受信し、受信信号を受信機ユニット（ＲＣＶＲ）１２１０に提供する。受信機ユニット１２１０は、受信信号を調整、デジタル化、及び／又は処理し、サンプルストリームを復調器１２１５に提供する。復調器１２１５は、このサンプルストリームについて復調を実行し、受信したパイロットシンボルをチャネル推定器１２２０に、受信したデータシンボルと受信したオーバヘッドシンボルとを検出器１２２５に提供する。チャネル推定器１２２０は、受信したパイロットシンボルに基づいて、基地局と無線デバイス１２００との間のラジオリンクのためのチャネル応答推定値を導出する。検出器１２２５は、受信したデータと、オーバヘッドシンボルについて、チャネル応答推定値を用いて、検出（等化又はマッチトフィルタリング）を行う。更に、検出器１２２５は、シンボルデマルチプレクサ（Ｄｅｍｕｘ）／デチャンネライザ１２３０に、「検出された」データ及びオーバヘッドシンボルを提供する。これらは、それぞれ、送信されたデータ及びオーバヘッドシンボルの推定値である。検出されたデータ／オーバヘッドシンボルは、データ／オーバヘッドシンボルを形成するために使用される符合化ビットに対するログ尤度比（ＬＬＲ）、あるいは他の表記によって表される。チャンネル推定器１２２０はまた、復調器１２２５にタイミング及び周波数情報を提供することができる。
【００５８】
コントローラ１２３５は、復元される１又は複数の具体的なデータストリーム（のためのユーザ選択）の表示を取得し、リソース割り当て、及び選択された各ストリームのための割り当てを決定する。無線デバイス１２００が、初めて信号を獲得している（例えば、初期獲得）のであれば、受信機（ＲＸ）データプロセッサ１２４０によって復号されるオーバヘッドシンボルからシグナリング情報が得られる。無線デバイス１２００が、フレーム内のデータブロックを首尾よく受信している場合、スーパフレームで送られた少なくとも１つのデータブロックのうちの一部である組み込まれたオーバヘッドシグナリングからシグナリング情報が取得される。一般に、スーパフレームは、１又は複数のフレームを含んでおり、１又は複数のデータストリームを伝達するために利用される。各データストリームについて、それぞれのデータブロックは、対応するコードブロックを生成するために処理（例えば、外部符合化）される。コードブロックはそれぞれ多数のサブブロックへ分割される。また、各サブブロックは更に調整（例えば、内部符合化及び変調）され、対応する変調シンボルのサブブロックが生成される。コードブロックはそれぞれ１つのスーパフレーム内で送信される。また、コードブロックに対する複数のサブブロックは、フレーム毎に１つのサブブロックで、スーパフレームの複数のフレーム内で送信される。
【００５９】
この埋め込まれたオーバヘッドシグナリングは、次のフレーム内の対応するデータストリームの割り当て及びアロケーションを示す。コントローラ１２３５は、ＭＵＸ＿ＲＸ制御をデチャンネライザ１２３０に提供し、デチャンネライザ１２３０は、ＭＵＸ＿ＲＸ制御に基づいて、各シンボル周期について、検出されたデータ又はオーバヘッドの逆多重化（demultiplexing）を行い、検出された１又は複数のデータシンボルストリーム又は検出されたオーバヘッドシンボルストリームをそれぞれＲＸデータプロセッサ１２４０に提供する。オーバヘッドシンボルの場合、ＲＸデータプロセッサ１２４０は、検出されたオーバヘッドシンボルストリームを、オーバヘッドシグナリングのために使用されるモードに従って処理し、復号されたオーバヘッドシグナリングをコントローラ１２３５に提供する。データシンボルストリームの場合、ＲＸデータプロセッサ１２４０は、検出された興味のあるデータシンボルストリームの各々を、そのストリームのために使用されるモードに従って処理し、復号された対応するデータストリームをデータシンク１２４５に提供する。
【００６０】
システム１２００は更に、測定コンポーネント１２５０を備える。測定コンポーネント１２５０は、図１〜４に関連して記載した測定コンポーネントに実質的に類似している。あるいは、またはさらにそれに加えて、図５〜７に関連して記載した方法を適用することができる。そのため、測定コンポーネント１２５０は、ＲＣＶＲ１２１０から通信関連情報（例えば、チャネル変化及び干渉電力変化）を取得し、この情報を用いて、例えばキャパシティベースの実効的ＳＮＲのようなパフォーマンス数的指標を決定することができる。計算されたＳＮＲは、制約された、あるいは制約されていないキャパシティベースの実効的ＳＮＲ、及びその近似、及びそれを簡略化したものとなりうる。送信オーバヘッドを最小にするために、測定コンポーネント１２５０は、均一化あるいは非均一化技術を用いて、実効的なＳＮＲを量子化することができる。更に、測定コンポーネント１２５０は、本明細書に記載するように、実効的なＳＮＲを更に処理するために、様々なフィルタを適用することができる。測定コンポーネント１２５０は、その後、ＲＣＶＲ１２１０及びアンテナ１２０５を介して基地局（図示せず）へ、実効的なＳＮＲを送信することができる。上述したように、基地局は、この実効的なＳＮＲを用いて、例えば、モバイル端末からの送信のスケジュール、電力制御コマンドのモバイル端末への送信、及びモバイル端末によってサポートされるデータレートの決定を行うことができる。
【００６１】
開示された実施形態の記述は、あらゆる当業者が、本明細書で記載されたシステム及び方法を実施又は使用することを可能にするために提供される。これらの実施形態に対する様々な変形が、当業者に容易に明らかであり、本明細書で定義された一般原理は、その精神又は範囲から逸脱することなく他の実施形態に対して適用されうる。従って、本システム及び方法は、本明細書で示された実施形態に限定されるとは意図されておらず、本明細書で開示された原理及び新規の特徴と一致した最も広い範囲が与えられるべきである。
【図面の簡単な説明】
【００６２】
【図１】図１は、無線通信を容易にするパフォーマンス数的指標を決定する典型的な測定システムを示す。
【図２】図２は、実効的なＳＮＲパフォーマンス数的指標を決定する典型的な測定システムを示す。
【図３】図３は、実効的なＳＮＲを決定するために量子化器及び／又は様々なフィルタを使用する典型的な測定システムを示す。
【図４】図４は、実効的なＳＮＲを近似する典型的な測定システムを示す。
【図５】図５は、モバイル端末においてパフォーマンス数的指標を決定し、この数的指標を基地局において利用して無線通信を容易にするための典型的なフロー図を示す。
【図６】図６は、パフォーマンス数的指標を決定し、基地局で利用して、無線通信を容易にするための典型的なフロー図を示す。
【図７】図７は、基地局においてパフォーマンス数的指標を利用して無線通信を容易にするための典型的なフロー図を示す。
【図８】図８は、複数の基地局及びモバイル端末を備えた典型的な無線通信システムを示す。
【図９】図９は、典型的なサブ帯域構造を示す。
【図１０】図１０は、典型的な無線通信システムを示す。
【図１１】図１１は、典型的な基地局を示す。
【図１２】図１２は、典型的なモバイル端末を示す。
【図１】
2008526117.tif 000017
【図２】
2008526117.tif 000018
【図３】
2008526117.tif 000019
【図４】
2008526117.tif 000020
【図５】
2008526117.tif 000021
【図６】
2008526117.tif 000022
【図７】
2008526117.tif 000023
【図８】
2008526117.tif 000024
【図９】
2008526117.tif 000025
【図１０】
2008526117.tif 000026
【図１１】
2008526117.tif 000027
【図１２】
2008526117.tif 000028
【国際調査報告】
2008526117.tif 000029
2008526117.tif 000030
2008526117.tif 000031